(57)【要約】【課題】シャッターケースの美観を損ねることがない庇の取付構造を備えたシャッターケースを提供する。【解決手段】シャッターケース１のケース下面板１２に庇８の基端側部位を固定した。シャッターケース１内にはケース下面板１２の上側に位置して横材９が設けてあり、横材９は、水平片９１と垂直片９０を有しており、庇８の基端側部位は水平片９１に固定されており、垂直片９０は、シャッターケース１のケース前面板１１の下方部位（第２部分１１１）の内面に当接している。庇８の基端側部位には当接片８１が形成されており、当接片８１は、建物開口部左右のガイドレール２に当接している。【選択図】図５
2017172215.tif 000002
【特許請求の範囲】
【請求項１】
シャッターケースの室外側下面に庇の基端側部位を固定したことを特徴とする庇を備えたシャッターケース。
【請求項２】
前記庇の上面は、前記シャッターケースの室外側下面より下側に位置しており、前記室外側下面の直下に位置する前記庇の基端側部位が、前記室外側下面に固定されている、請求項１に記載のシャッターケース。
【請求項３】
シャッターケースには、前記室外側下面に沿って、シャッターケースの幅方向に延びる横材が設けてあり、
前記庇の基端側部位は、前記室外側下面及び前記横材に固定されている、
請求項１、２いずれかに記載の庇を備えたシャッターケース。
【請求項４】
前記横材は、前記室外側下面の上側に位置してシャッターケース内に設けてあり、
前記横材は、水平片と垂直片を有しており、前記庇の基端側部位は前記水平片に固定されており、前記垂直片は、前記シャッターケースの前面の下方部位に内側から当接している、
請求項３に記載の庇を備えたシャッターケース。
【請求項５】
前記庇の基端側部位には当接部が形成されており、前記当接部は、建物開口部左右のガイドレールに当接している、
請求項１〜４いずれか１項に記載の庇を備えたシャッターケース。
【請求項６】
請求項１〜５いずれか１項に記載のシャッターケースを備えたシャッター装置。
【発明の詳細な説明】
【技術分野】
【０００１】
本発明は、庇を備えたシャッターケースに関するものである。
【背景技術】
【０００２】
庇は、建物開口部の上に位置して躯体から外側に突設された、いわば小屋根であり、建物開口部の上方に位置するシャッターケースに庇を取り付けることは従来から行われている（特許文献１、２）。従来の庇の取付構造は、シャッターケースの左右に設けたブラケットによって、庇の左右両端を支持させて取り付けている。特許文献１では、シャッターケースの側面に形成した窪み部に設けたブラケットによって庇を支持しており、特許文献２では、シャッターケースの側面の外側に設けたブラケットによって庇を支持している。
【０００３】
しかしながら、左右のブラケットを利用して庇を支持させる場合には、左右のブラケットがシャッターケースの側面に露出して、シャッターケースの美観に影響を与えるおそれがある。特許文献１では、ブラケットが露出することに加えて、シャッターケースの側面が、構造においても形状においても複雑になってしまい、特許文献２では、ブラケットが露出することに加えて、ブラケットの厚さ分シャッターケースの側面からブラケットが膨らむため、嵩張った印象を与える。
【特許文献１】特開平１１−７１９７５
【特許文献２】特開２００５−４２５４３
【発明の開示】
【発明が解決しようとする課題】
【０００４】
本発明は、シャッターケースの美観を損ねることがない庇の取付構造を備えたシャッターケースを提供することを目的とする。
【課題を解決するための手段】
【０００５】
かかる課題を解決するべく本発明が採用した技術手段は、シャッターケースの室外側下面に庇の基端側部位を固定したことを特徴とする庇を備えたシャッターケース、である。
１つの態様では、前記庇の上面は、前記シャッターケースの室外側下面より下側に位置しており、前記室外側下面の直下に位置する前記庇の基端側部位が、前記室外側下面に固定されている。庇の基端側部位は、典型的には、幅方向の複数箇所において、螺子によってシャッターケースの室外側下面に固定される。
【０００６】
１つの態様では、シャッターケースには、前記室外側下面に沿って、シャッターケースの幅方向に延びる横材が設けてあり、
前記庇の基端側部位は、前記室外側下面及び前記横材に固定されている。
１つの態様では、前記横材は、前記室外側下面の上側に位置してシャッターケース内に設けてあるが、前記横材は、前記室外側下面の下側に固定してもよく、あるいは、前記室外側下面に形成した溝内に固定してもよい。
後述する実施形態では、シャッターケースの室外側下面に上向き凸面を形成し、凸面によって形成された溝内に設けた横材と凸面の上面に設けた横材の２本の横材に庇が支持されているが、横材の数は限定されず、１本の横材に庇を固定支持させてもよい。
１つの態様では、前記庇の基端側部位は、幅方向の複数箇所において、螺子によって横材に固定されている。典型的には、螺子は、シャッターケースの室外側下面から上方に向かって螺進させて取り付けるものであり、螺子の頭部は庇の基端側部位の下面に位置するため、目立ち難く、外観を損ねることはない。
下方から螺子を取り付けることで、側面から螺子を取り付ける場合に比べて、螺子孔から雨水が浸水するおそれがなく、防水性に優れる。
【０００７】
１つの態様では、前記横材は、前記室外側下面の上側に位置してシャッターケース内に設けてあり、
前記横材は、水平片と垂直片を有しており、前記庇の基端側部位は前記水平片に固定されており、前記垂直片は、前記シャッターケースの前面の下方部位に内側から当接している。
【０００８】
１つの態様では、前記庇の基端側部位には当接部が形成されており、前記当接部は、建物開口部左右のガイドレールに当接している。
【発明の効果】
【０００９】
本発明では、シャッターケースの室外側下面に庇の基端側部位を固定するようにしたので、庇の幅方向の左右両端を、シャッターケースの側面と面一あるいは内側に位置させることができ、また、シャッターケースの側面の意匠を全く変えることなく庇を取り付けることができ、庇の取付構造がシャッターケースの美観を損ねることがない。
【００１０】
シャッターケース内に前記室外側下面の上側に位置して、水平片と垂直片を有する横材を設け、前記庇の基端側部位を前記水平片に固定し、前記垂直片を、前記シャッターケースの前面の下方部位に内側から当接させたものでは、横材の垂直片が前記シャッターケースの前面の下方部位に内側から当接することで、片持ち状の庇の先端側が自重で下がろうとする力に対抗することができ、庇の安定した取付状態を提供する。また、このような構造を採用することで、シャッターケースの室外側下面の壁面からの突出寸法（持ち出し寸法）が比較的小さい場合であっても、庇を安定して取り付けることができる。
【００１１】
庇の基端側部位には当接部が形成されており、前記当接部が、建物開口部左右のガイドレールに当接しているものでは、庇の幅方向両端において、前記当接部がガイドレールに当接することで、片持ち状の庇の先端側が自重で下がろうとする力に対抗することができ、庇の安定した取付状態を提供する。また、このような構造を採用することで、シャッターケースの室外側下面の壁面からの突出寸法（持ち出し寸法）が比較的小さい場合であっても、庇を安定して取り付けることができる。
【図面の簡単な説明】
【００１２】
【図１】庇を備えたシャッターケースを有する窓シャッターの正面図である。
【図２】図１に示す窓シャッターの側面図である。
【図３】庇を備えたシャッターケースを有する窓シャッターの縦断面図である。
【図４】庇を備えたシャッターケースを有する窓シャッターの横断面図である。
【図５】図３の部分拡大図である。
【図６】図５の部分拡大図である。
【図７】本実施形態に係る庇を示す図である。
【図８】庇を備えたシャッターケースの一方の端部をやや下方から見た概略斜視図である。
【発明を実施するための形態】
【００１３】
図１〜図４に示すように、窓シャッター装置は、窓開口部の上方に位置して、外壁Ｗに持ち出し状に取り付けられたシャッターケース１と、窓開口部の幅方向両側に位置して外壁Ｗに対して持ち出した位置に設けられた左右のガイドレール２と、左右のガイドレール２を持ち出し状に支持する支持枠２Ａと、シャッターケース１内に形成された収納部に設けた巻取シャフト３と、上端が巻取シャフト３に連結されており、巻取シャフト３に巻き取られ／繰り出されることで、幅方向両端部がガイドレール２に案内されながら昇降して窓装置（窓開口部）Ｄの室外側部位を開閉するシャッターカーテン４と、窓開口部の下方に位置して、外壁Ｗに持ち出し状に取り付けられた下枠５と、を備えている。なお、窓シャッターは、本発明が適用される好適な実施形態の一つであって、本発明は窓シャッターに限定されるものではない。
【００１４】
巻取シャフト３は開口幅方向に延びており、長さ方向の両端部は、建物躯体から持ち出し状に延びる左右のブラケット６の面部にそれぞれ支持されている。本実施形態では、図３に示すように、巻取シャフト３及び巻取シャフト３に巻装されたシャッターカーテン４（図３に仮想円で示す）を収納する収納部は、外壁Ｗより前側（外側）に位置する前側空間と、外壁Ｗよりも後側（内側）に位置する後側空間と、からなり、前側空間はシャッターケース１によって形成されており、後側空間はアルミ型材からなるサッシ枠７により形成されている。シャッターケース１は、サッシ枠７に対して着脱可能に装着できるようになっている。本実施形態では、左右のブラケット６は、前側空間と後側空間に亘って延びている。左右のブラケット６間には、２本のケース横材６０、６１が架け渡してある。本実施形態では、上記収納部を、外壁Ｗより前側に位置する前側空間と、外壁Ｗよりも後側に位置する後側空間と、から形成したことで、シャッターケース全体を外壁に取り付ける場合に比べて、外壁Ｗからのシャッターケース１の突出寸法が小さくなっている。
【００１５】
シャッターケース１は、外壁Ｗから室外側に向かって延びるケース上面板１０と、ケース上面板１０の先端から下方に向かって延びるケース前面板１１と、ケース前面板１１の下端から窓開口部に向かって後方に延びるケース下面板１２と、開口幅方向両側のケース側面板１３と、を備えている。ケース上面板１０、ケース前面板１１、ケース下面板１２は、窓開口部の全幅及び左右両側のガイドレール２に亘って開口幅方向に延びている。
【００１６】
ケース前面板１１は、巻取シャフト３及び巻取シャフト３に巻装されたシャッターカーテン４の前側を覆う第１部分１１０と、第１部分の下方の第２部分１１１と、からなる。図３に示すように、本実施形態では、ケース前面板１１の下方部位（第２部分１１１）は、巻取シャフト３に巻装されたシャッターカーテン４を収納する空間よりも下方に位置しており、幅方向の両端部位は、ケース下面板１２を超えて上方に延びるガイドレール２の上端部位（垂直状の見付面２０の上方部位＋拡開部を形成する傾斜面２１）に対向している（図５、図６参照）。
【００１７】
図６に示すように、ケース下面板１２は、断面視において、外壁Ｗから離間する側の水平面１２０と、外壁Ｗに近い側の水平面１２１と、水平面１２０、１２１間に形成された上向き凸面と、から形成されており、水平面１２１の幅方向左右端部は、ガイドレール２の見付面２０に近接している。上向き凸面は、水平面１２０の端部から立ち上がる垂直状の立ち上がり面１２２と、水平面１２１の端部から立ち上がる垂直状の立ち上がり面１２３と、立ち上がり面１２２、１２３の上端同士を結ぶ水平状の上面１２４と、からなる。ケース下面板１２の外壁Ｗに近い側の水平面１２１は、開口幅方向の両端部位（ガイドレール２に対応する部位）にのみ設けてあり、開口部に対応する部位には存在しない。図示の態様では、ケース下面板１２において、水平面１２１及び立ち上がり面１２３を形成する部位を別部材から形成し、２つの別部材を、開口幅方向の両端部にそれぞれ設けている。もちろん、一体のケース下面板を用意して、開口部に対応する部位を切り欠いてもよい。
【００１８】
ケース前面板１１の下方部位、すなわち第２部分１１１の内側、及び、ケース下面板１２の上側に位置して、断面視Ｌ形状の横材９がケース前面板１１の全幅に亘って延びている。横材９は、垂直片９０と、垂直片９０の下端から外壁Ｗに向かって水平状に延びる水平片９１と、から断面視Ｌ形状を有しており、開口幅方向に延びる長尺部材である。横材９は、垂直片９０をケース前面板１１の第２部分１１１の内面に当接させ、水平片９１を凸面の上面１２４に載置した状態で設けられる。
【００１９】
ケース下面板１２において、立ち上がり面１２２、１２３と、上面１２４と、から、ケース下面板１２の略全幅に亘って延びる下向きの断面視コ字状の凹溝が形成されており、凹溝内には、開口幅方向に延びる横材１４が取り付けてある。横材１４は、断面視において、立ち上がり面１２２に当接ないし近接する立ち上がり片１４０と、立ち上がり面１２３に当接ないし近接する立ち上がり片１４１と、水平状の上面１２４に当接する水平状の上面１４２と、上面１４２の外壁Ｗ側に位置する傾斜状の上面１４３と、立ち上がり片１４１の下端から外壁Ｗ側に突出する下片１４４と、立ち上がり片１４１の下端から外壁Ｗから離間する側に延びる下片１４５と、から形成されている。
【００２０】
横材１４の傾斜状の上面１４３の長さ方向両端部位は、左右のガイドレール２の見付面２０の上方部位（ケース下面板１２の上方に位置する部位）に設けた側面視レ状の取付片１５に螺子１６で固定されており、さらに、横材１４の水平状の上面１４２は、長さ方向に間隔を存して複数箇所で螺子（図示せず）によって、ケース下面板１２の上向き凸面の上面１２４に固定されている。横材１４の上面１４２をケース下面板１２の上向き凸面の上面１２４に固定する螺子は、上面１２４に当接している横材９の水平片９１に螺設されており、当該螺子によって、横材９の水平片９１は上面１２４に固定される。なお、本実施形態では、横材９の垂直片９０は、ケース前面板１１の第２部分１１１の内面に当接しているだけであり、第２部分１１１に固定されていない。
【００２１】
シャッターケース１には、シャッターケース１のケース前面板１１の室外側に突出するように庇８が取り付けられている。庇８は、基端側部位がケース下面板１２に取り付けられており、窓開口部上方に位置して、外壁Ｗから離間するように延びている。庇８は、シャッターケース１の略全幅に亘って延びると共に、前方に向かって緩やかに傾斜する板状の本体８０と、本体８０の基端に一体的に形成した当接片８１と、幅方向両端に被着した側カバー８２と、からなる。本体８０には、基端側に位置して幅方向に所定間隔を存して複数の取付孔８３が穿設されている。本体８０の肉厚は基端から先端に向かって僅かに漸次薄くなっているが、この構成には限定されず、全体に亘って同厚であってもよい。図２、図３、図５から明らかなように、庇８の上面は、シャッターケース１のケース下面板１２より下側に位置しており、ケース下面板１２の直下に位置する庇８の基端側部位が、ケース下面板１２に固定されている。
【００２２】
当接片８１は、本体８０の基端から下方に延びる第１片８１０と、第１片８１０の下端から後方に向かって延びる第２片８１１と、から断面視Ｌ形状となっており、庇８を取り付けた状態では、第２片８１１の先端がガイドレール２の見付面２０の上方部位（ケース下面板１２に近い部位）に当接している。本実施形態では、当接片８１の第１片８１０は本体８０の全幅に亘って形成されているが、第２片８１１は本体８０の幅方向両端部位（開口部左右のガイドレール２に対応する部位）にのみに形成されている（図４、図７参照）。このように、当接部（第２片８１１）をガイドレール２に対応する部位にのみ設けることで、開口部の開閉途中でシャッターカーテン４が撓んでも当接部に接触することがないようにしている。
【００２３】
図５、図６を参照しつつ、本実施形態に係る庇８の取付構造について詳細に説明する。本実施形態では、庇８は２本のスペーサ８４を用いて本体８０の傾斜を補正した状態でケース下面板１２に取り付けられる。庇８の本体８０の基端側部位を上下から挟むようにスペーサ８４をあてがい、横材１４（上面１４２）、ケース下面板１２（凸面の上面１２４）、横材９（水平片９１）に対して、螺子８５で固定することで、シャッターケース１に取り付けられている。
【００２４】
スペーサ８４は、庇８の本体８０の全幅に亘って延びる長尺材であり、一側が水平面、他側が傾斜状の当接面となっており、傾斜状の当接面を本体８０の面部に当接させることで、庇８の本体８０の面部の傾斜を補正する。より具体的には、上側のスペーサ８４の傾斜状の当接面を本体８０の上面に当接させることで、当該スペーサ８４の上面を水平として、このスペーサ８４の上面をケース下面板１２の水平面１２０、横材１４の下片１４５に当接させ、下側のスペーサ８４の傾斜状の当接面を本体８０の下面に当接させることで、当該スペーサ８４の下面を水平として、螺子８５の締結状態において、螺子８５の頭部をスペーサ８４の下面に当接させる。
【００２５】
スペーサ８４には、長さ方向に所定間隔を存して挿通孔が形成されており、上下のスペーサ８４を庇８の本体８０にあてがった時に、スペーサ８４の挿通孔と本体８０の取付孔８３は一致して連通しており、連通した孔から螺子８５を挿入させ、横材１４の上面１４２、ケース下面板１２の凸面の上面１２４、横材９の水平片９１に対して螺設することで、庇８は、シャッターケース１のケース下面板１２に取り付けられる。
【００２６】
庇８を螺子８５でケース下面板１２に固定した状態において、庇８の本体８０の基端側の当接片８１の第２片８１１の先端がガイドレール２の見付面２０に当接している。すなわち、庇８の本体８０の基端側部位は、ケース下面板１２に固定される固定部（本体８０の面部の基端側部位）と、幅方向左右両端においてガイドレール２の見付面２０との当接部（当接片８１）と、を有しており、当接部は、固定部に対して下方に位置している。このように、庇８の幅方向両端において、当接片８１がガイドレール２の見付面２０に当接することで、片持ち状の庇８の本体８０の先端側が自重で下がろうとする力に対抗することができ、庇８の安定した取付状態を提供する。
【００２７】
さらに、螺子８５が横材９の水平片９１に固定される一方、横材９の垂直片９０は、ケース前面板１１の第２部分１１１の内面に当接しており、自重によって庇８の先端側に下方に働く力によって螺子８５の軸部が倒れるように作用する力に対して、横材９の垂直片９０がケース前面板１１の第２部分１１１の内面に当接することで対抗することができ、庇８の安定した取付状態を提供する。このような庇８の先端側が下方に回転しようとする力により有効に対抗するには、垂直片９０の立ち上がり寸法をなるべく大きくすることが望ましく、図示の態様では、垂直片９０は、第２部分１１１の内面の略全域に当接しており、また、断面視において、垂直片９０の高さ寸法は水平片９１の横方向の寸法に比べて大きくなっている。
【００２８】
このように、庇８の取付構造において、庇８の本体８０の基端側の当接片８１が、庇の幅方向両端において、ガイドレール２の見付面２０に当接すると共に、庇８をケース下面板１２に取り付ける螺子８５が固定された横材９が、ケース前面板１１の第２部分１１１の内面に当接することで、両者が相俟って庇８の先端側が自重により下方に回転するように作用する力に対抗する。
【００２９】
図１、図８に示すように、庇８の幅方向両端部は、シャッターケース１の幅方向両端部より僅かに内側に位置しており、シャッターケース１の側面１３の内側に納まっており、このような納まりとなることで、庇８を取り付けたものでありながら、スッキリとした外観を提供することができる。庇８は、シャッターケースの側面の意匠を全く変えることなく取り付けてあるので、シャッターケースの意匠性を損ねることもない。
【００３０】
庇８の取付作業においても、庇８の本体８０の基端側部位の面部をケース下面板１２にあてがい（本実施形態では、上下からスペーサ８４で挟んだ状態で）、本体８０の基端側部位の当接片８１を左右のガイドレール２の見付面２０に当接させた状態で、下方から螺子８５で固定すればよいので、取付作業もシンプルで作業性が良好である。また螺子８５の頭部は庇８の本体８０の基端側部位の下側に位置するので、目立ち難く美観に影響を与えない。
【００３１】
本実施形態では、庇８は、２本の横材９、１４を用いてケース下面板１２に螺子８５で固定されているが、例えば、１本の横材を用いてケース下面板１２に固定するものでもよい。
【００３２】
本実施形態では、ケース下面板１２に上向き凸面（溝部）を形成して、溝部内に横材１４を設けているが、例えば、ケース下面板１２に溝部及び横材１４を設けずに、全体として水平面のケース下面板を用い、この水平状のケース下面板に横材を固定するものでもよい。
【００３３】
本実施形態では、スペーサ８４を用いた庇８の取付構造を示したが、スペーサ８４は任意要素であって、本願発明の内容を限定するものではない。例えば、ケース下面板１２を庇８の本体８０と同様に傾斜状に形成してもよく、あるいは、庇８の本体８０の基端側部位を水平状に形成してもよい。
【符号の説明】
【００３４】
１  シャッターケース
１１  ケース前面板
１１１  第２部分（下方部位）
１２  ケース下面板（室外側下面）
２  ガイドレール
２０  ガイドレールの見付面
８  庇
８０  本体
８１  当接片
８５  螺子
９  横材
９０  垂直片
９１  水平片
１４  横材
【図１】
2017172215.tif 000003
【図２】
2017172215.tif 000004
【図３】
2017172215.tif 000005
【図４】
2017172215.tif 000006
【図５】
2017172215.tif 000007
【図６】
2017172215.tif 000008
【図７】
2017172215.tif 000009
【図８】
2017172215.tif 000010